(57)【要約】【課題】畦の近傍に沿ってトラクターを走行させながら肥料を散布する場合、畦側への肥料の飛散を防止して肥料を有効に散布するようにした肥料散布機の飛散防止装置を提供するものである。【解決手段】肥料散布機の飛散防止装置は、支持フレーム５に取付けた肥料ホッパー６の下部に散布部７を設けて、トラクター２に牽引されて走行する肥料散布機１において、前記支持フレーム５に取付ブラケット２を接続し、ここに進行方向に対して直交して水平支持アーム１３を取付け、この端部に垂直支持スタンド１６を立設して、ここにシート取付フレーム１９を上下に回動自在に支持して、このシート取付フレーム１９にシート２９を取付けて、散布部７から散布される肥料１０の横方向への飛散をシート２９で防止するようにしたものである。【選択図】  図１
2010011784.tif 000002
【特許請求の範囲】
【請求項１】
支持フレームに取付けた肥料ホッパーの下部に散布部を設けて、トラクターに牽引されて走行する肥料散布機において、前記支持フレームに取付ブラケットを接続し、ここに進行方向に対して直交して水平支持アームを取付け、この端部に垂直支持スタンドを立設して、ここにシート取付フレームを上下に回動自在に支持して、このシート取付フレームにシートを取付けて、散布部から散布される肥料の横方向への飛散をシートで防止するようにしたことを特徴とする肥料散布機の飛散防止装置。
【請求項２】
シート取付フレームを平面Ｌ形に形成し、ここにシートを平面Ｌ形に取付けたことを特徴とする請求項１記載の肥料散布機の飛散防止装置。
【請求項３】
シート取付フレームを上下に回動自在に支持する垂直支持スタンドに、回動範囲を規制するストッパーを取付けたことを特徴とする請求項１記載の肥料散布機の飛散防止装置。
【発明の詳細な説明】
【技術分野】
【０００１】
本発明は、散布する肥料の横方向への飛散防止機構を改良した肥料散布機の飛散防止装置に関するものである。
【背景技術】
【０００２】
一般に、水田や畑に肥料を散布する場合、トラクターに肥料散布機を取付け、トラクターを走行させながら、肥料を全体に散布している。従来の肥料散布機は、ホッパーの底部に筒状の散布部を設けて、ここから散布するようになっている。肥料を均一に散布するため、入力軸に連係したフライホイールを水平に設置して、垂直方向のカムピンと散布部側のアームピンを連結棒によって連動させて散布部を揺動させながら散布する構造が提案されている（特許文献１）。
【０００３】
このように、水田や畑に肥料を広い範囲にわたって均一に散布する構造は種々提案されているが、畦の近傍に沿ってトラクターを走行させながら肥料を散布すると、畦にも肥料が散布されるので肥料が無駄になるばかりか、畦の草の生長を促進してしまう問題があった。
【特許文献１】特開平９−２７５７３４号公報
【発明の開示】
【発明が解決しようとする課題】
【０００４】
本発明は上記問題を改善し、畦の近傍に沿ってトラクターを走行させながら肥料を散布する場合、畦側への肥料の飛散を防止して肥料を有効に散布するようにした肥料散布機の飛散防止装置を提供するものである。
【課題を解決するための手段】
【０００５】
本発明の請求項１記載の肥料散布機の飛散防止装置は、支持フレームに取付けた肥料ホッパーの下部に散布部を設けて、トラクターに牽引されて走行する肥料散布機において、前記支持フレームに取付ブラケットを接続し、ここに進行方向に対して直交して水平支持アームを取付け、この端部に垂直支持スタンドを立設して、ここにシート取付フレームを上下に回動自在に支持して、このシート取付フレームにシートを取付けて、散布部から散布される肥料の横方向への飛散をシートで防止するようにしたことを特徴とするものである。
【０００６】
本発明の請求項２記載の肥料散布機の飛散防止装置は、請求項１において、シート取付フレームを平面Ｌ形に形成し、ここにシートを平面Ｌ形に取付けたことを特徴とするものである。
【０００７】
本発明の請求項３記載の肥料散布機の飛散防止装置は、請求項１において、シート取付フレームを上下に回動自在に支持する垂直支持スタンドに、回動範囲を規制するストッパーを取付けたことを特徴とするものである。
【発明の効果】
【０００８】
本発明に係る請求項１記載の肥料散布機の飛散防止装置によれば、肥料散布機を駆動させながら水田や畑の畦に沿ってトラクターを走行させながら後方に向かって肥料を散布させると、シートにより側面がカバーされているので、ここで遮蔽され畦に散布されるのを防止することができる。
【０００９】
また請求項２記載の肥料散布機の飛散防止装置によれば、シート取付フレームを平面Ｌ形に形成し、ここにシートを平面Ｌ形に掛けて側面と背面を囲ってカバーしたので、ここで遮蔽されて畦に散布されるのを防止することができる。
【００１０】
また請求項３記載の肥料散布機の飛散防止装置によれば、シート取付フレームを上下に回動自在に支持する垂直支持スタンドに、回動範囲を規制するストッパーを取付けたので、使用しない時はシートを外してシート取付フレームを立てた状態で保持することはでき、散布の邪魔にならない。
【発明を実施するための最良の形態】
【００１１】
以下本発明の実施の一形態を図１ないし図４を参照して詳細に説明する。図にお１は肥料散布機で、図２に示すようにトラクター２の後部に取付けられている。３は飛散防止装置で肥料散布機１の後部に取付けられている。前記肥料散布機１は、支持フレーム５に上部を開口した肥料ホッパー６が支持され、この下部に散布部７が設けられている。この散布部７は回転噴射部８と噴出筒９とで構成され、肥料ホッパー６内の肥料１０が回転噴射部８で回転させられて噴出筒９から後方に散布するようになっている。
【００１２】
飛散防止装置３は肥料散布機１の支持フレーム５に取付けられている。支持フレーム５の後部には角筒で形成された取付ブラケット１２がトラクター２の進行方向に対して直交して水平に接続されている。この取付ブラケット１２を左右に貫通して水平支持アーム１３が取付けられ、ボルト１４で所定の位置に固定されている。
【００１３】
水平支持アーム１３の一端には角筒で形成された垂直ブラケット１５が、水平支持アーム１３と直交して垂直に接合されている。この垂直ブラケット１５の内側には角筒で形成された垂直支持スタンド１６が上下方向に貫通して挿着され、所定の高さになるようにボルト１４で固定されている。この垂直支持スタンド１６の上部側面にはストッパープレート１８が接合され、ここに２個のボルト状のストッパー２０が突設されている。
【００１４】
垂直支持スタンド１６にはシート取付フレーム１９が上下に回動自在に支持されている。このシート取付フレーム１９は、回動アーム２２と縦シートフレーム２３および横シートフレーム２４とで構成されている。回動アーム２２はその基端側に回転軸２５が横方向に突設され、これが図３に示すように前記ストッパープレート１８と垂直支持スタンド１６を貫通して、ここに回動自在に支持されている。更に図１に示すようにシート取付フレーム１９は、ストッパープレート１８に突設したストッパー２０、２０により上下方向の回動範囲が規制されている。
【００１５】
また回動アーム２２の上には、パイプで枠状に形成された縦シートフレーム２３がボス２６で回動自在に支持され、また回動アーム２２の中間にはストッパー板２７が水平に接続され、縦シートフレーム２３を支持している。更に縦シートフレーム２３の後部には、ボス２６が接合され、ここを貫通してパイプで形成された横シートフレーム２４が取付けられて、全体として平面Ｌ形に形成されている。
【００１６】
上記構成の肥料散布機の飛散防止装置は、トラクター２に取付けた肥料散布機１に接続して、シート取付フレーム１９にシート２９を掛ける。シート２９は、垂直支持スタンド１６の枠状の縦シートフレーム２３の上部からトラクター２の進行方向に沿って外側側面を囲むように取付け、また横シートフレーム２４にはトラクター２の進行方向に沿って直交するように取付けて、上面と左側面および背面をカバーする。
【００１７】
この状態で、肥料散布機１の肥料ホッパー６に肥料１０を入れて、肥料散布機１を駆動させながら水田や畑の畦に沿って右回転しながらトラクター２を走行する。肥料散布機１の噴出筒９から後方に向かって肥料１０が散布されるが、この畦側にはシート取付フレーム１９に取付けたシート２９により上面と左側面および背面を囲ってカバーされているので、ここで遮蔽され畦に散布されるのを防止することができる。
【００１８】
このようにして、畦に沿って１周し終ったら、図１に仮想線で示すようにシート２９を外してシート取付フレーム１９を上方に回動させてストッパープレート１８のストッパー２０で立てた状態に保持する。この後は、通常と同じように畦から離れた内側を走行して肥料１０を散布する。つまり畦に散布されないので肥料が無駄にならず、畦から離れた位置では、後方に向かって均一に散布される。
【００１９】
図４は、水田を左回りに散布する場合で、図１の状態で垂直ブラケット１５からボルト１４を外して、垂直支持スタンド１６とシート取付フレーム１９を上方に引き抜く。次に垂直ブラケット１５と一体に接合されている水平支持アーム１３を取付ブラケット１２から横方向に引き抜いた後、反対側から差し込んでボルト１４で固定する。次にシート取付フレーム１９と一体になっている垂直支持スタンド１６を垂直ブラケット１５に上方から挿着してボルト１４で固定する。
【００２０】
次に回動アーム２２の上のボス２６に支持されている縦シートフレーム２３を矢印方向に回動させて、ストッパー板２７で水平に支持させる。また縦シートフレーム２３の後部にボス２６で支持した横シートフレーム２４を内側に移動させて固定する。この後、シート２９をかけて、上面と右側面および背面を囲ってカバーする。この状態で、畦に沿って左回転しながら散布していく。
【００２１】
なお上記説明では、シート取付フレーム１９を回動アーム２２と縦シートフレーム２３、横シートフレーム２４で形成した場合について示したが、シート２９を取付けられれば他の組合せ構成でも良い。
【図面の簡単な説明】
【００２２】
【図１】本発明の実施の一形態による肥料散布機の飛散防止装置を示す斜視図である。
【図２】図１の飛散防止装置を示す側面図である。
【図３】図１の飛散防止装置を示す背面図である。
【図４】取付け方向を変えた肥料散布機の飛散防止装置を示す斜視図である。
【符号の説明】
【００２３】
１    肥料散布機                                            
２    トラクター                                            
３    飛散防止装置                                          
５    支持フレーム                                          
６    肥料ホッパー                                          
７    散布部                                                
８    回転噴射部                                            
９    噴出筒                                                
１０  肥料                                                  
１２  取付ブラケット                                        
１３  水平支持アーム                                        
１４  ボルト                                                
１５  垂直ブラケット                                        
１６  垂直支持スタンド                                      
１８  ストッパープレート                                    
１９  シート取付フレーム                                    
２０  ストッパー                                            
２２  回動アーム                                            
２３  縦シートフレーム                                      
２４  横シートフレーム                                      
２５  回転軸                                                
２６  ボス                                                  
２７  ストッパー板                                          
２９  シート                                                
【図１】
2010011784.tif 000003
【図２】
2010011784.tif 000004
【図３】
2010011784.tif 000005
【図４】
2010011784.tif 000006